(57)【要約】【課題】主装置がデータ受信した場合に、無線端末に対しこの情報を伝える。またその情報をもとにその受信したデータの処理方法を無線端末が選択、指示する。【解決手段】主装置であるデータ処理装置、無線接続された端末、データ受信通知手段により通知を受けた端末は、ユーザに受信データの処理方法を選択させる。そしてデータ処理装置は選択された処理方法で受信データを処理する。【選択図】　　　　図１
2004015091.tif 000002
【特許請求の範囲】
【請求項１】
中央装置であるデータ処理装置と処理機能を備える無線通信端末とが無線接続されている無線データ処理システムにおいて、
データ処理装置が遠隔地とデータ送受信を行うための通信手段と、
通信手段により遠隔地からデータを受信した旨をデータ処理装置から無線通信端末へ配信する配信手段と、
無線通信端末にデータ処理装置から配信された受信通知を表示する受信通知表示手段と、
無線通信端末に受信したデータの適切なデータ処理方法を表示する処理方法表示手段を具備することを特徴とする無線データ処理システム。
【請求項２】
さらには、無線通信端末で受信したデータの適切なデータ処理方法を選択することを可能にする処理方法選択手段を具備することを特徴とする請求項１に記載の無線データ処理システム。
【請求項３】
さらには、処理方法選択手段により、無線通信端末で受信したデータの適切なデータ処理方法を選択された場合に、データ処理装置に選択されたデータ処理方法をデータ処理装置に通知することを可能にする処理方法選択通知手段を具備することを特徴とする請求項２に記載の無線データ処理システム。
【請求項４】
さらには、処理方法選択通知手段により、無線通信端末からデータ処理装置に選択されたデータ処理方法が通知された場合に、データ処理装置がその処理方法を実行することを可能にする処理方法実行手段を具備することを特徴とする請求項３に記載の無線データ処理システム。
【請求項５】
中央装置であるデータ処理装置と処理機能を備える無線通信端末とが無線接続されている無線データ処理システムにおいて、
データ処理装置が遠隔地とデータ送受信を行うための通信手段と、
通信手段により遠隔地からデータを受信した旨をデータ処理装置から無線通信端末へ配信する配信手段と、
無線通信端末にデータ処理装置から配信された受信通知を表示する受信通知表示手段と、
無線通信端末に受信したデータの適切なデータ処理方法を表示する処理方法表示手段を実現することを特徴とする記憶媒体。
【請求項６】
さらには、無線通信端末で受信したデータの適切なデータ処理方法を選択することを可能にする処理方法選択手段を実現することを特徴とする請求項５に記載の記憶媒体。
【請求項７】
さらには、処理方法選択手段により、無線通信端末で受信したデータの適切なデータ処理方法を選択された場合に、データ処理装置に選択されたデータ処理方法をデータ処理装置に通知することを可能にする処理方法選択通知手段を実現することを特徴とする請求項６に記載の記憶媒体。
【請求項８】
さらには、処理方法選択通知手段により、無線通信端末からデータ処理装置に選択されたデータ処理方法が通知された場合に、データ処理装置がその処理方法を実行することを可能にする処理方法実行手段を実現することを特徴とする請求項７に記載の記憶媒体。
【発明の詳細な説明】
【０００１】
【発明の属する技術分野】
本発明は、各人が携帯するＰＨＳ（パーソナルハンディホンシステム）や携帯電話などの無線携帯通信網を用いて、例えばファクシミリ受信、データ受信や各種情報提供サービスなどのあらゆるデータを受信した際の受信通知、データ処理を行う無線データ処理システムに関するものである。
【０００２】
【従来の技術】
最近、ＰＨＳや携帯電話の普及および技術革新が進み、単なる通話だけでなく高速な無線データ通信を行うことが出来るサービスが注目されている。そのような無線通信端末は、データ通信を行うための表示領域がより大きく、入力手段も簡単に出来ることが特徴である。
【０００３】
【発明が解決しようとする課題】
ところがＰＨＳや携帯電話を無線携帯端末としてデータ通信用途に使用するケースはまだ少なく、その１つの原因は従来から稼動しているデータ処理装置との連携が不可能であったためである。
【０００４】
本発明は上述の問題点に鑑みなされたもので、通信、サーバ機能を有するデータ処理装置がファクシミリ受信、データ受信や各種情報提供サービスなどのあらゆるデータを受信した際に、その受信した旨を無線携帯端末に配信し、データの処理方法を携帯端末から指示することを可能とした無線データ処理システム、さらにはその制御方法及び記憶媒体を提供することを目的とする。
【０００５】
【課題を解決するための手段】
上記目的を達成するために本発明の無線データ処理システムは以下の構成を備える。
【０００６】
即ち、中央装置であるデータ処理装置と処理機能を備える無線通信端末とが無線接続されている無線データ処理システムにおいて、データ処理装置が遠隔地とデータ送受信を行うための通信手段と、通信手段により遠隔地からデータを受信した旨をデータ処理装置から無線通信端末へ配信する配信手段と、無線通信端末にデータ処理装置から配信された受信通知を表示する受信通知表示手段と、無線通信端末に受信したデータの適切なデータ処理方法を表示する処理方法表示手段とを有する。
【０００７】
さらには、無線通信端末で受信したデータの適切なデータ処理方法を選択することを可能にする処理方法選択手段を有する。
【０００８】
さらには、処理方法選択手段により、無線通信端末で受信したデータの適切なデータ処理方法を選択された場合に、データ処理装置に選択されたデータ処理方法をデータ処理装置に通知することを可能にする処理方法選択通知手段を有する。
【０００９】
さらには、処理方法選択通知手段により、無線通信端末からデータ処理装置に選択されたデータ処理方法が通知された場合に、データ処理装置がその処理方法を実行することを可能にする処理方法実行手段を有する。
【００１０】
【発明の実施の形態】
以下添付図面を参照して本発明の好適な実施形態について詳細に説明する。
【００１１】
図１は、本発明を適用した無線データ処理システムの中央装置であるデータ処理装置の構成例を示すブロック図である。
【００１２】
データ処理装置１００は以下のものより構成されている。
【００１３】
１０１は、データ処理装置１００全体の動作を制御するためのＣＰＵ（Ｃｅｎｔｒａｌ　Ｐｒｏｃｅｓｓｉｎｇ　Ｕｎｉｔ）である。
【００１４】
１０２は、データ処理装置１００のシステムデータ、通信データ、読取画像データ、記録画像データ、ワークエリア、設定データ等を保持するためのＲＡＭ（Ｒａｎｄｏｍ　Ａｃｃｅｓｓ　Ｍｅｍｏｒｙ）である。通信データエリアは、ファクシミリ送信予約された画像やメモリ代行ファクシミリ受信した画像や、電子メール送受信をするための送受信メールデータを保持するためのエリアである。原稿読取画像データエリアは、読取原稿を高速読取のための読取ラインバッファや、読み取られた原稿画像データを一時的に保持しておくためのエリアである。記録画像データエリアは、解像度変換をするための記録ラインバッファや記録する画像データを一時的に保持しておくためのエリアである。設定データエリアは、電話帳に登録されている電話番号、略称、電子メールアドレスのデータや、通信開始スピード等の通信モードや、読取解像度等の読取モードや、記録解像度等の記録モード等を記憶するための不揮発エリアである。
【００１５】
１０３は、データ処理装置１００の動作処理プログラム、フォントデータ、テーブルデータ等が格納されているＲＯＭ（Ｒｅａｄ　Ｏｎｌｙ　Ｍｅｍｏｒｙ）である。
【００１６】
１０４は、数値入力キー、文字入力キー、ワンタッチ電話番号キー、モード設定キー、決定キー、取り消しキー等を備え、ユーザが相手先データの決定や設定データの登録動作を行うための操作部である。
【００１７】
１０５は、動作状況、登録設定状況を表示するＬＣＤ、送受信状態やエラー情報を示すＬＥＤ等の表示部である。
【００１８】
１０６は、ＮＣＵ（Ｎｅｔｗｏｒｋ　Ｃｏｎｔｒｏｌ　Ｕｎｉｔ：公衆回線網制御装置）、データ／ファクシミリ通信モデム、呼び出し信号検出器、回線接続端子等からなる通信部である。その先には一般公衆通信回線が接続される。
【００１９】
１０７は、画像処理装置上の原稿を読み取り、ＲＡＭ１０２の読取画像データエリアへ読取データを転送するための読取部である。
【００２０】
１０８は、ＲＡＭ１０２の記録画像データエリアからの画像データを記録紙に印字するための記録部である。
【００２１】
１０９は、データ処理装置１００と無線通信端末２００（後述）の間で受信通知、画像データ、設定データ等の情報を、無線ネットワークを用いて送受信するための無線通信部である。無線通信部には無線通信アンテナも含まれる。
【００２２】
１１０は、データ処理装置１００の各種構成要素を互いに接続するＣＰＵバスである。
【００２３】
図２は、本発明を適用した無線データ処理システムの周辺装置である無線通信端末の構成例を示すブロック図である。
【００２４】
無線通信端末２００は以下のものより構成されている。
【００２５】
２０１は、無線通信端末２００全体の動作を制御するためのＣＰＵである。
【００２６】
２０２、オペレーティングシステムプログラムやユーザプログラムを実行し、ワークエリアとして使用するための揮発ＲＡＭである。
【００２７】
２０３は、無線通信端末２００の動作処理プログラム、フォントデータ、テーブルデータ等が格納されているＲＯＭである。
【００２８】
２０４は、無線通信端末２００のシステムデータ、通信データ、ワークエリア、設定データ等を保持するための不揮発性記憶部である。フラッシュＲＯＭ、記憶型ＩＣカード等が使用される。通信データエリアは、データ処理装置１００から無線ネットワーク接続により受信したファクシミリ画像データや、電子メールデータを保持するためのエリアである。設定データエリアは、電話帳に登録されている電話番号、略称、電子メールアドレスのデータ等を記憶するための不揮発エリアである。
【００２９】
２０５は、データ処理装置１００と無線通信端末２００の間で受信通知、画像データ、設定データ等の情報を、無線ネットワークを用いて送受信するための無線通信部である。無線通信部には無線通信アンテナも含まれる。
【００３０】
２０６は、無線通信端末２００に命令を与える数値入力キー、文字入力キー、ワンタッチ電話番号キー、モード設定キー、決定キー、取り消しキー等を備え、ユーザが相手先データや設定データの登録動作を行うための操作部である。
【００３１】
２０７は、無線通信端末２００が設定データの一覧を表示したり、設定データの編集画面を表示したり、ファクシミリ受信画像の簡略表示をしたり、電子メール文書を表示する表示部である。
【００３２】
２０８は、無線通信端末２００の各種構成要素を互いに接続するＣＰＵバスである。
【００３３】
図３は本発明を適用した無線データ処理システムの動作を示すフローチャートである。
【００３４】
このフローチャートはファクシミリ受信をした際の動作を示している。
【００３５】
まず、Ｓ３０１において相手ファクシミリ（不図示）から、ファクシミリ通信を目的にした着信がある。着信信号は、通信回線を経由し通信部１０６の呼び出し信号検出器によって検出される。
【００３６】
Ｓ３０２において、検出された呼び出し信号に従って通信回線を捕捉し、ファクシミリ送信開始信号を受信したらファクシミリ受信の準備を行う。
【００３７】
Ｓ３０３において、相手ファクシミリが送信してくるファクシミリ画像データを受信し、ＲＡＭ１０２の通信データエリアに圧縮した形式で格納する。
【００３８】
Ｓ３０４において、通信管理番号、受信した日時、送信元電話番号、送信元略称、受信ページ数、終了結果の各種データを生成して、通信データエリアに受信した画像データに結び付けて記憶する。また、無線通信端末２００に受信画像データを送信できるように、縮小処理した簡略画像データを生成して、通信データエリアに受信画像データに結び付けて記憶する。
【００３９】
Ｓ３０５において、あらかじめユーザが登録してある、データ処理装置１００がファクシミリ受信した際に、そのファクシミリ受信があった旨を通知するべき無線通信端末２００を検索する。中央装置であるデータ処理装置１００は複数の無線通信端末２００と同時に通信が可能である。よって、あらかじめ無線通信端末２００固有のＩＤを用いて、ファクシミリ受信した際に、どの無線通信端末２００に受信通知を配信するか登録しておくことが必要である。また、ＩＤ登録する無線通信端末２００は複数であっても構わない。または、ＩＤ登録を行わずに全ての通信可能な無線通信端末２００を検索するようにしてもよい。
【００４０】
Ｓ３０６において、データ処理装置１００はＳ３０５で検索された無線通信端末２００と受信通知データ、簡略受信画像データの通信が可能かどうか判断する。もし通信可能ならばＳ３０７へ進み、不可能な場合はＳ３１１へ進む。
【００４１】
Ｓ３０７において、データ処理装置１００は通信可能な無線通信端末２００へファクシミリ受信があったことを意味する受信通知を送信する。その際、受信通知と共に通信管理番号、受信した日時、送信元電話番号、送信元略称、受信ページ数、終了結果の各種データも同時に通知するようにしてもよい。また受信した画像データを縮小処理した簡略画像データも同時に配信するようにしてもよい。また通知する各種データ、簡略画像データをあらかじめユーザが選択できるようにしてもよい。
【００４２】
Ｓ３０８において、無線通信端末２００はデータ処理装置１００から受信した受信通知や、通信管理番号、受信した日時、送信元電話番号、送信元略称、受信ページ数、終了結果の各種データ、または簡略画像データを表示部２０７に表示する。この場合、無線通信端末２００の表示部２０７に、大型のドットマトリックスＬＣＤを採用し、大量の各種データと簡略画像データを同時に表示することが望ましい。
【００４３】
Ｓ３０９において、受信したファクシミリ画像をどのように処理するかの指示を促すガイダンスを、無線通信端末２００の表示部２０７に表示する。この第１の実施形態についてはファクシミリ受信をした際の例を示しているので、どのように処理するかは次の中から選択することになる（図６参照）。
【００４４】
処理１　記録紙印字：データ処理装置１００の記録部１０８でファクシミリ受信画像を記録紙に印字する。
【００４５】
処理２　ファクシミリ転送：データ処理装置１００の通信部１０６を使用し、通信回線経由で離れた遠隔ファクシミリ装置（不図示）に、受信したファクシミリ受信画像を転送する。
【００４６】
処理３　電子メール転送：データ処理装置１００の通信部１０６を使用し、通信回線経由で離れた遠隔電子メール端末（不図示）に、受信したファクシミリ受信画像を電子メール形式に変換して転送する。
【００４７】
処理４無線通信端末転送：データ処理装置１００と通信可能状態にある他の無線通信端末２００へ受信通知を転送する。その際、受信通知と共に通信管理番号、受信した日時、送信元電話番号、送信元略称、受信ページ数、終了結果の各種データも同時に転送するようにしてもよい。また受信した画像データを縮小処理した簡略画像データも同時に転送するようにしてもよい。また通知する各種データ、簡略画像データをあらかじめユーザが選択できるようにしてもよい。
【００４８】
Ｓ３１０において、無線通信端末２００はＳ３０９で選択された受信画像の処理方法をデータ処理装置１００に送信する。その選択された処理方法を受信したデータ処理装置１００は、選択された処理方法に従って、ＲＡＭ１０２に記憶されているファクシミリ受信画像データを処理する。
【００４９】
一方、Ｓ３０６において、通信不可能な無線通信端末２００が見つからなかった場合はＳ３１１へ進み、受信したファクシミリ画像データ、通信管理番号、受信した日時、送信元電話番号、送信元略称、受信ページ数、終了結果の各種データ、簡略画像データをデータ処理装置１００のＲＡＭ１０２に記憶し、配信されなかったことを示すメッセージをデータ処理装置１００の表示部１０５に表示する。
【００５０】
【発明の効果】
以上説明したように、本発明によれば、中央装置であるデータ処理装置と処理機能を備える無線通信端末とが無線接続されている無線データ処理システムにおいて、データ処理装置が遠隔地とデータ送受信を行うための通信手段と、通信手段により遠隔地からデータを受信した旨をデータ処理装置から無線通信端末へ配信する配信手段と、無線通信端末にデータ処理装置から配信された受信通知を表示する受信通知表示手段と、無線通信端末に受信したデータの適切なデータ処理方法を表示する事が可能になる。
【００５１】
さらには本発明によれば、無線通信端末で受信したデータの適切なデータ処理方法を選択する事が可能になる。
【００５２】
さらには本発明によれば、処理方法選択手段により、無線通信端末で受信したデータの適切なデータ処理方法を選択された場合に、データ処理装置に選択されたデータ処理方法をデータ処理装置に通知する事が可能になる。
【００５３】
さらには本発明によれば、処理方法選択通知手段により、無線通信端末からデータ処理装置に選択されたデータ処理方法が通知された場合に、データ処理装置がその処理方法を実行する事が可能になる。
【図面の簡単な説明】
【図１】本発明の一実施形態例であるデータ処理装置の概略構成を示すブロック図である。
【図２】本発明の一実施形態例である無線通信端末の概略構成を示すブロック図である。
【図３】本発明の一実施形態例である無線データ処理システムの処理の概略を示すフローチャート図その１である。
【図４】本発明の一実施形態例である無線データ処理システムの処理の概略を示すフローチャート図その２である。
【図５】本発明の一実施形態例である無線データ処理システムの処理の概略を示すフローチャート図その３である。
【図６】本発明の一実施形態例である無線通信端末表示部の処理方法選択画面の概略図である。
【符号の説明】
１００　データ処理装置
１０１　データ処理装置１００内のＣＰＵ
１０２　データ処理装置１００内のＲＡＭ
１０３　データ処理装置１００内のＲＯＭ
１０４　データ処理装置１００内の操作部
１０５　データ処理装置１００内の表示部
１０６　データ処理装置１００内の通信部
１０７　データ処理装置１００内の読取部
１０８　データ処理装置１００内の記録部
１０９　データ処理装置１００内の無線通信部
１１０　データ処理装置１００内のＣＰＵバス
２００　無線通信端末
２０１　無線通信端末２００内のＣＰＵ
２０２　無線通信端末２００内のＲＡＭ
２０３　無線通信端末２００内のＲＯＭ
２０４　無線通信端末２００内の記憶部
２０５　無線通信端末２００内の無線通信部
２０６　無線通信端末２００内の操作部
２０７　無線通信端末２００内の表示部
２０８　無線通信端末２００内のＣＰＵバス
【図１】
2004015091.tif 000003
【図２】
2004015091.tif 000004
【図３】
2004015091.tif 000005
【図４】
2004015091.tif 000006
【図５】
2004015091.tif 000007
【図６】
2004015091.tif 000008